(57)【要約】【課題】表示パネルの電源配線で発生する電圧降下を考慮したムラ補正を実現する。【解決手段】方法が、輝度の補正量を算出することと、前記補正量を用いてムラ補正を行った場合に表示パネルで消費される総電流の、前記ムラ補正を行わなかった場合に前記表示パネルで消費される総電流からの変化を示すシミュレーション値を算出することと、前記シミュレーション値に基づいて、前記表示パネルを駆動する表示ドライバにおけるムラ補正処理に用いられるムラ補正データを算出することとを含む。【選択図】図５
2020056970.tif 000002
【特許請求の範囲】
【請求項１】
輝度の補正量を算出することと、
前記補正量を用いてムラ補正を行った場合に表示パネルで消費される総電流の、前記ムラ補正を行わなかった場合に前記表示パネルで消費される総電流からの変化を示すシミュレーション値を算出することと、
前記シミュレーション値に基づいて、前記表示パネルを駆動する表示ドライバにおけるムラ補正処理に用いられるムラ補正データを算出すること
とを含む
方法。
【請求項２】
前記シミュレーション値を算出することが、前記補正量の和に基づいて前記シミュレーション値を算出することを含む
請求項１に記載の方法。
【請求項３】
前記ムラ補正データを算出することが、
前記シミュレーション値に基づいて前記表示パネルの画素の輝度目標値を設定することと、
前記表示パネルの前記画素が前記輝度目標値の輝度で発光するように前記ムラ補正データを算出すること
とを含む
請求項１又は２に記載の方法。
【請求項４】
前記画素の前記輝度目標値を設定することは、
基準輝度値を設定することと、
前記シミュレーション値に基づいて、前記表示パネルで消費される総電流の変化による輝度ズレ量を算出することと、
前記基準輝度値と前記輝度ズレ量とに基づいて、前記輝度目標値を設定すること
とを含む
請求項３に記載の方法。
【請求項５】
更に、
対象階調値のそれぞれについて前記表示パネルの前記画素の輝度を測定することと、
測定された前記輝度に基づいて、前記対象階調値と前記画素の輝度との対応関係を表す第１階調−輝度テーブルを生成すること
とを含み、
前記輝度ズレ量を算出することは、
前記シミュレーション値に基づいて前記第１階調−輝度テーブルを補正して第２階調−輝度テーブルを生成することと、
前記第１階調−輝度テーブルから得られる輝度と前記第２階調−輝度テーブルから得られる輝度との差分として前記輝度ズレ量を算出すること
とを含む
請求項４に記載の方法。
【請求項６】
前記第２階調−輝度テーブルを生成することが、前記第１階調−輝度テーブルに記述されている輝度を、前記総電流の変化が大きいほど、かつ、対応する階調値が大きいほど減少させるように補正することにより、前記第２階調−輝度テーブルを生成することを含む
請求項５に記載の方法。
【請求項７】
前記補正量を算出することが、測定された前記輝度に基づいて前記補正量を算出することを含む
請求項５に記載の方法。
【請求項８】
前記画素の前記輝度目標値を設定することは、
基準輝度値を設定することと、
前記シミュレーション値に基づいて、前記表示パネルに設定された複数のエリアのそれぞれについて、前記表示パネルで消費される総電流の変化による輝度ズレ量を算出することと、
前記基準輝度値と前記複数のエリアのそれぞれについて算出された前記輝度ズレ量とに基づいて、前記複数のエリアのそれぞれについて目標エリア輝度値を算出することと、
前記目標エリア輝度値を前記画素の位置に応じて補間することにより前記画素の前記輝度目標値を算出すること
とを含む
請求項３に記載の方法。
【請求項９】
前記輝度ズレ量を算出することが、
対象階調値のそれぞれについて前記表示パネルの前記画素の輝度を測定し、測定された前記輝度に基づいて、前記複数のエリアのそれぞれについて、前記対象階調値と輝度との対応関係を表す第１階調−輝度テーブルを生成することと、
前記シミュレーション値に基づいて前記第１階調−輝度テーブルを補正して第２階調−輝度テーブルを生成することと、
前記複数のエリアのそれぞれについて、前記第１階調−輝度テーブルから得られる輝度と前記第２階調−輝度テーブルから得られる輝度との差分として前記輝度ズレ量を算出すること
とを含む
請求項８に記載の方法。
【請求項１０】
更に、前記ムラ補正データを、前記表示パネルを駆動する表示ドライバに設定することを含む
請求項１〜９のいずれか１項に記載の方法。
【請求項１１】
輝度の補正量を算出することと、
前記補正量を用いてムラ補正を行った場合に表示パネルで消費される総電流の、前記ムラ補正を行わなかった場合に前記表示パネルで消費される総電流からの変化を示すシミュレーション値を算出することと、
前記シミュレーション値に基づいて、前記表示パネルを駆動する表示ドライバにおけるムラ補正処理に用いられるムラ補正データを算出すること
とをコンピュータに実行させる
プログラム。
【請求項１２】
前記シミュレーション値を算出することが、前記補正量の和に基づいて前記シミュレーション値を算出することを含む
請求項１１に記載のプログラム。
【請求項１３】
前記ムラ補正データを算出することが、
前記シミュレーション値に基づいて前記表示パネルの画素の輝度目標値を設定することと、
前記表示パネルの前記画素が前記輝度目標値の輝度で発光するように前記ムラ補正データを算出すること
とを含む
請求項１１又は１２に記載のプログラム。
【請求項１４】
前記画素の前記輝度目標値を設定することは、
基準輝度値を設定することと、
前記シミュレーション値に基づいて、前記表示パネルで消費される総電流の変化による輝度ズレ量を算出することと、
前記基準輝度値と前記輝度ズレ量とに基づいて、前記輝度目標値を設定すること
とを含む
請求項１３に記載のプログラム。
【請求項１５】
更に、
対象階調値のそれぞれについて前記表示パネルの前記画素の輝度を測定することと、
測定された前記輝度に基づいて、前記対象階調値と前記画素の輝度との対応関係を表す第１階調−輝度テーブルを生成すること
とを前記コンピュータに実行させ、
前記輝度ズレ量を算出することは、
前記シミュレーション値に基づいて前記第１階調−輝度テーブルを補正して第２階調−輝度テーブルを生成することと、
前記第１階調−輝度テーブルから得られる輝度と前記第２階調−輝度テーブルから得られる輝度との差分として前記輝度ズレ量を算出すること
とを含む
請求項１４に記載のプログラム。
【請求項１６】
請求項１１〜１５のいずれか１項に記載のプログラムを記憶した記憶媒体。
【請求項１７】
輝度の補正量を算出し、前記補正量を用いてムラ補正を行った場合に表示パネルで消費される総電流の、前記ムラ補正を行わなかった場合に前記表示パネルで消費される総電流からの変化を示すシミュレーション値を算出し、前記シミュレーション値に基づいて、前記表示パネルを駆動する表示ドライバにおけるムラ補正処理に用いられるムラ補正データを算出するように構成された演算装置と、
前記ムラ補正データを表示ドライバに供給するインターフェース
とを備える
表示ドライバ調整装置。
【請求項１８】
前記演算装置が、前記補正量の和に基づいて前記シミュレーション値を算出するように構成された
請求項１７に記載の表示ドライバ調整装置。
【請求項１９】
前記演算装置が、前記シミュレーション値に基づいて前記表示パネルの画素の輝度目標値を設定し、前記表示パネルの前記画素が前記輝度目標値の輝度で発光するように前記ムラ補正データを算出するように構成された
請求項１７又は１８に記載の表示ドライバ調整装置。
【請求項２０】
前記演算装置が、基準輝度値を設定し、前記シミュレーション値に基づいて、前記表示パネルで消費される総電流の変化による輝度ズレ量を算出し、前記基準輝度値と前記輝度ズレ量とに基づいて、前記輝度目標値を設定するように構成された
請求項１９に記載の表示ドライバ調整装置。
【発明の詳細な説明】
【技術分野】
【０００１】
本開示は、表示ドライバ調整装置、方法、プログラム及び記憶媒体に関する。
【背景技術】
【０００２】
表示パネルにおいては、例えば製造工程に起因して、画素特性のバラツキが発生することがある。画素特性のバラツキは、表示画像におけるムラ（mura）の原因になり得る。ムラを補正する処理を実施することは、表示画像の画質の向上に有効である。
【発明の概要】
【０００３】
一実施形態では、方法が、輝度の補正量を算出することと、前記補正量を用いてムラ補正を行った場合に表示パネルで消費される総電流の、前記ムラ補正を行わなかった場合に前記表示パネルで消費される総電流からの変化を示すシミュレーション値を算出することと、前記シミュレーション値に基づいて、前記表示パネルを駆動する表示ドライバにおけるムラ補正処理に用いられるムラ補正データを算出することとを含む。
【０００４】
一実施形態では、表示ドライバ調整装置が、輝度の補正量を算出し、前記補正量を用いてムラ補正を行った場合に表示パネルで消費される総電流の、前記ムラ補正を行わなかった場合に前記表示パネルで消費される総電流からの変化を示すシミュレーション値を算出し、前記シミュレーション値に基づいて、前記表示パネルを駆動する表示ドライバにおけるムラ補正処理に用いられるムラ補正データを算出するように構成された演算装置と、前記ムラ補正データを表示ドライバに供給するインターフェースとを備えている。
【図面の簡単な説明】
【０００５】
【図１】一実施形態における表示モジュールの構成を示すブロック図である。
【図２】一実施形態における画素の構成を図示している。
【図３】一実施形態における表示ドライバ調整装置の構成を示すブロック図である。
【図４】表示パネルに生じ得るムラの一例を図示している。
【図５】一実施形態におけるムラ補正データの生成の手順を示すフローチャートである。
【図６】一実施形態における画素アレイに規定されるエリアを示している。
【図７】一実施形態における輝度−階調テーブルを図示している。
【図８】一実施形態における算出されるエリア輝度値と補正量とを図示している。
【図９】一実施形態における電流変化補償後輝度−階調テーブル、及び、輝度ズレを図示している。
【図１０】一実施形態における目標エリア輝度値の算出方法を図示している。
【図１１】一実施形態における各画素の輝度目標値の算出方法を図示している。
【発明を実施するための形態】
【０００６】
図１に示す一実施形態では、表示モジュール１００が、表示パネル１と表示ドライバ１０とを備えている。表示パネル１は、例えば、ＯＬＥＤ（organic light emitting diode）表示パネルである。
【０００７】
一実施形態では、表示パネル１は、画素アレイ２とスキャンドライバ回路部３とを備えている。画素アレイ２には、スキャンライン４とソースライン５と画素回路６と電源ライン７とが配置されている。スキャンライン４は、水平方向、即ち、図１におけるＸ軸方向に延伸するように配置され、ソースライン５と電源ライン７は、垂直方向、即ち、図１におけるＹ軸方向に延伸するように配置される。一実施形態では、各画素回路６は、ＯＬＥＤ素子を備えており、赤色（Ｒ）、緑色（Ｇ）、青色（Ｂ）のいずれかを表示するように構成されている。例えば図２に示すように、表示パネル１の各画素８は、赤色を表示する画素回路６、緑色を表示する画素回路６、青色を表示する画素回路６を含んでおり、これらの画素回路６は、それぞれ、Ｒ副画素６Ｒ、Ｇ副画素６Ｇ、Ｂ副画素６Ｂとして用いられる。これら及び以下の構成並びに各実施形態は、他の色又は他の色組合せが可能である場合にも適用され得る。
【０００８】
図１に戻り、一実施形態に従って、スキャンドライバ回路部３は、表示ドライバ１０から受け取ったスキャン制御信号ＳＯＵＴに応じてスキャンライン４を駆動するように構成されている。
【０００９】
一実施形態では、各画素回路６は、電源ライン７を介して電源電圧ＥＬＶＤＤが供給され、供給された電源電圧ＥＬＶＤＤを用いて動作するように構成されている。一実施形態では、パワーマネジメントＩＣ３００から電源電圧ＥＬＶＤＤが供給される電源端子９が表示パネル１に設けられ、電源端子９に供給された電源電圧ＥＬＶＤＤが、電源ライン７を介して各画素回路６に供給される。一実施形態では、画素回路６は、電源電圧ＥＬＶＤＤを用いてＯＬＥＤ素子を駆動するように構成されている。
【００１０】
一実施形態では、表示ドライバ１０は、ホスト２００から画像データを受け取り、該画像データに応じて表示パネル１の各画素回路６を駆動するように構成される。一実施形態では、画像データが、各画素８の赤色、緑色、青色の階調値を指定する画素データを含んでいる。この場合、表示ドライバ１０は、各画素８の赤色、緑色、青色をそれぞれ表示する画素回路６に、それぞれ、当該画素８の画素データに指定された赤色、緑色、青色の階調値に対応する信号レベルを有する駆動信号を供給する。
【００１１】
一実施形態では、図１に示すように、表示ドライバ１０は、インターフェース１１と、画像処理回路部１２と、不揮発性メモリ１３と、ソースドライバ回路部１４と、パネルインターフェース回路部１５とを備えている。一実施形態では、インターフェース１１と、画像処理回路部１２と、ソースドライバ回路部１４とが第１ＩＣチップに集積化され、不揮発性メモリ１３が、該第１ＩＣチップと別の第２ＩＣチップに集積化されてもよい。他の実施形態ではこれらが一のＩＣチップに集積化されてもよいし、他の集積化の組み合わせも可能である。
【００１２】
一実施形態では、インターフェース１１は、表示ドライバ１０の外部から様々なデータを受け取り、所望の回路に転送する。一実施形態では、インターフェース１１は、ホスト２００から受け取った画像データを画像処理回路部１２に転送する。加えて、インターフェース１１は、外部から受け取ったデータを必要に応じて不揮発性メモリ１３に書き込み可能に構成されている。
【００１３】
一実施形態では、画像処理回路部１２は、ホスト２００から受け取った画像データに対して、ムラ補正（Demura）処理などの画像処理を行う。ムラ補正処理は、画像データに含まれる各画素８の画素データに対して行われる。ある画素８の画素データのムラ補正処理では、該画素８の各画素回路６の特性に応じて生成されたムラ補正データに基づいて画素データが補正される。ムラ補正データは、表示パネル１の画素８のそれぞれについて用意される。ムラ補正処理により、画素回路６の特性のバラツキをキャンセルし、表示画像におけるムラを抑制することができる。
【００１４】
一実施形態では、不揮発性メモリ１３は、画像処理回路部１２で行われるムラ補正処理で用いられるムラ補正データを格納する。不揮発性メモリ１３に格納されているムラ補正データは、符号２０で示されている。
【００１５】
一実施形態では、ソースドライバ回路部１４は、画像処理回路部１２における画像処理によって得られた画像データを受け取り、受け取った画像データに応じた駆動信号を表示パネル１の画素回路６に供給する。
【００１６】
一実施形態では、パネルインターフェース回路部１５は、表示パネル１のスキャンドライバ回路部３を制御するスキャン制御信号ＳＯＵＴを生成する。
【００１７】
一実施形態では、ムラ補正データ２０は、表示モジュール１００の検査工程において生成され、表示ドライバ１０の不揮発性メモリ１３に格納される。一実施形態では、ムラ補正データ２０は、図３に示す表示ドライバ調整装置４００によって生成される。表示ドライバ調整装置４００は、所望のテスト画像が表示パネル１に表示された状態で取得された各画素８の輝度に基づいて、ムラ補正データ２０を生成する。
【００１８】
一実施形態では、表示ドライバ調整装置４００は、撮像装置２１とコンピュータ２２とを備えている。撮像装置２１は、テスト画像が表示された表示パネル１を撮影して撮像画像を取得する。コンピュータ２２は、撮像装置２１によって撮影された撮像画像から、各画素８の輝度を記述した輝度測定データを取得する。コンピュータ２２は、更に、輝度測定データからムラ補正データを生成する。
【００１９】
一実施形態では、コンピュータ２２は、ソフトウェア処理によってムラ補正データを生成する。一実施形態では、コンピュータ２２は、インターフェース２３、記憶装置２４と、演算装置２５と、インターフェース２６とを備えている。
【００２０】
一実施形態では、インターフェース２３は、撮像装置２１から撮像画像を受け取り、更に、撮像装置２１を制御する制御データを撮像装置２１に供給する。
【００２１】
一実施形態では、記憶装置２４は、ムラ補正データ２０の生成に用いられる様々なデータを格納する。一実施形態では、ムラ補正データ算出ソフトウェア３０が記憶装置２４にインストールされており、記憶装置２４は、ムラ補正データ算出ソフトウェア３０を記憶する非一時的記憶媒体（non-transitory tangible storage medium）として用いられる。ムラ補正データ算出ソフトウェア３０は、コンピュータ読み取り可能な記録媒体２７に記録されたコンピュータプログラム製品(computer program product)として提供されてもよく、又は、サーバからダウンロード可能なコンピュータプログラム製品として提供されてもよい。
【００２２】
一実施形態では、演算装置２５は、ムラ補正データ算出ソフトウェア３０を実行してムラ補正データ２０の生成のための様々なデータ処理を行う。一実施形態では、演算装置２５は、検査工程において表示パネル１に表示すべきテスト画像に対応するテスト画像データを生成し、生成したテスト画像データを表示ドライバ１０に供給する。また、演算装置２５は、撮像装置２１を制御する制御データを生成して撮像装置２１に供給する。撮像装置２１は、制御データによる制御の下で撮像画像を取得する。テスト画像データ及び／又は制御データは外部から演算装置２５に供給されてもよい。一実施形態では、演算装置２５は、撮像装置２１によって取得された撮像画像から輝度測定データを生成し、更に、該輝度測定データからムラ補正データ２０を生成する。
【００２３】
一実施形態では、インターフェース２６は、演算装置２５によって生成されたムラ補正データ２０及びテスト画像データを表示ドライバ１０に供給する。
【００２４】
一実施形態では、ムラ補正データ２０は、表示パネル１の画素回路６の特性のバラツキに起因するムラを低減するように生成される。製造バラツキに起因して、表示パネル１の画素回路６の特性にはバラツキが生じ得る。個々の画素回路６の特性に応じたムラ補正データ２０を生成することで、特性のバラツキに起因するムラを低減することができる。
【００２５】
一実施形態では、ムラ補正データ２０は、電源電圧ＥＬＶＤＤを各画素回路６に分配する電源ライン７において生じる電圧降下に起因するムラを低減するように生成される。図４を参照して、電源ライン７において生じる電圧降下により、各画素回路６に実際に供給される電源電圧ＥＬＶＤＤは、表示パネル１における画素回路６の位置に依存して変動する。電源電圧ＥＬＶＤＤの変動は、表示パネル１に表示される画像のムラの原因になり得る。例えば、図４に示すように、画像の電源端子９に近い部分は明るくなり、離れた部分は暗くなる。ムラ補正データ２０は、このようなムラを抑制するように生成される。
【００２６】
各画素回路６に実際に供給される電源電圧ＥＬＶＤＤ、即ち、電源ライン７において生じる電圧降下は、表示パネル１の画素回路６において消費される総電流に依存している。一実施形態において、「総電流」とは、表示パネル１の画素回路６において消費される電流の表示パネル１全体についての和である。総電流が大きくなると、電源ライン７において発生する電圧降下が大きくなり、各画素回路６に実際に供給される電源電圧ＥＬＶＤＤのバラツキが大きくなる。これは、画像のムラを増大させ得る。
【００２７】
ムラ補正処理は、各画素８の輝度を変化させ、各画素８の輝度の変化は各画素回路６において消費される電流の変化を伴うので、ムラ補正処理の実施自体が、表示パネル１の総電流の変化の原因になり得る。一実施形態では、「総電流の変化」は、ムラ補正を行った場合の総電流とムラ補正を行わない場合の総電流との差分である。このような総電流の変化は、各画素８において輝度ズレを生じさせ得る。一実施形態では、ムラ補正処理の実施による総電流の変化を考慮してムラ補正データ２０が算出される。
【００２８】
一実施形態では、ムラ補正データ２０は、下記の手順で算出してもよい。まず、テスト画像が表示パネル１に表示された状態で測定された各画素８の輝度に基づいて、輝度の補正量を暫定的に算出する。更に、暫定的に算出された補正量を用いてムラ補正を行った場合における総電流の変化を示すシミュレーション値を算出する。このようにして算出したシミュレーション値に基づいて最終的に表示ドライバ１０におけるムラ補正処理に用いられるムラ補正データ２０を算出する。
【００２９】
表示パネル１では、各画素回路６の輝度が当該画素回路６で消費される電流に対応しているので、一実施形態では、総電流の変化を示すシミュレーション値が、表示パネル１全体について算出された輝度の補正量の和に基づいて算出されてもよい。一実施形態では、表示パネル１全体について算出された輝度の補正量の和が、シミュレーション値として用いられてもよい。
【００３０】
一実施形態では、赤色（Ｒ）、緑色（Ｇ）、青色（Ｂ）のそれぞれについて、総電流の変化を示すシミュレーション値に基づいて表示パネル１の各画素８の輝度目標値を設定し、各画素８が該輝度目標値の輝度で発光するようにムラ補正データ２０を算出してもよい。一実施形態では、各画素８の輝度目標値の設定は、下記の手順で行われる。まず、基準輝度値を設定する。更に、シミュレーション値に基づいて表示パネル１の画素８の画素回路６で消費される総電流の変化による輝度ズレ量を算出する。算出した輝度ズレ量と、設定した基準輝度値とに基づいて、各画素８の輝度目標値を設定する。このような手順によれば、総電流の変化に起因する画素８の輝度ズレを考慮しながら画素８の輝度目標値を設定し、電圧降下に起因するムラを一層に抑制可能なムラ補正データ２０を算出することができる。
【００３１】
一実施形態では、ムラ補正データ２０は、以下に説明する図５に示す手順で算出される。
【００３２】
ステップＳ０１では、ムラ測定が行われる。一実施形態では、ムラ測定は、各色（Ｒ、Ｇ、Ｂ）について、かつ、所定の複数の階調値＃１〜＃Ｎについて行われる。Ｎは、２以上の整数である。各階調値＃ｋが、８ビットの値である場合、階調値＃ｋは、０以上２５５以下の値を取る。以下では、ムラ測定が行われる階調値を、対象階調値ということがある。一実施形態の色ｊ、対象階調値＃ｋについてのムラ測定では、各画素８の色ｊを表示する画素回路６に、対象階調値＃ｋに対応する信号レベルを有する駆動信号が書き込まれた状態で撮像画像が取得され、その撮像画像から各画素８の輝度の測定値を記述する輝度測定データが生成される。ここで、色ｊは、赤色（Ｒ）、緑色（Ｇ）、青色（Ｂ）のいずれかである。
【００３３】
一実施形態では、色ｊ、対象階調値＃ｋについてのムラ測定では、各画素８の色ｊを表示する画素回路６について対象階調値＃ｋを指定し、色ｊ以外の色を表示する画素回路６については最低階調値、例えば、階調値“０”を指定するテスト画像データがコンピュータ２２から表示ドライバ１０に供給される。該テスト画像データに応じて表示パネル１の各画素回路６が駆動され、全体が色ｊであるテスト画像が表示される。テスト画像が表示された状態で表示パネル１の撮像画像が撮像装置２１によって取得され、その撮像画像から、各画素８の輝度の測定値を記述する輝度測定データが演算装置２５によって生成される。輝度測定データは、対象階調値のそれぞれについて、かつ、各色について生成される。生成された輝度測定データは、記憶装置２４に格納される。
【００３４】
ステップＳ０２では、エリア輝度値が演算装置２５によって算出される。例えば図６に示すように、表示パネル１の画素アレイ２には、複数のエリア４０が規定されており、各エリア４０について、エリア輝度値が算出される。エリア輝度値は、各エリア４０の全体としての輝度を表している。図６には、画素アレイ２に９個のエリア４００〜４０８が規定される例が図示されている。ただし、エリア４０の数は、９に限定されない。一実施形態では、エリア４００〜４０８は、垂直方向、即ち、ソースライン５と電源ライン７とが延伸する方向に並んで配置されている。垂直方向は、図６において、Ｙ軸方向として図示されている。図６の例では、エリア４００が電源端子９から最も離れており、エリア４０８が電源端子９から最も近い。
【００３５】
エリア４０ｉのエリア輝度値は、対象階調値＃１〜＃Ｎのそれぞれについて、かつ、各色について算出される。対象階調値＃ｋ、色ｊについてエリア４０ｉのエリア輝度値を算出する場合、対象階調値＃ｋ、色ｊについて取得された輝度測定データに記述されたエリア４０ｉに位置する画素８の輝度の測定値の平均値が、対象階調値＃ｋ、色ｊについてのエリア４０ｉのエリア輝度値として算出される。図６に示すエリア４０の配置では、エリア４００のエリア輝度値が最も低く、エリア４０８のエリア輝度値が最も高くなる傾向がある。
【００３６】
図５に戻り、ステップＳ０３では、輝度−階調テーブルが演算装置２５によって生成される。輝度−階調テーブルは、エリア４００〜４０８のそれぞれについて、且つ、各色について生成される。エリア４０ｉについて生成された輝度−階調テーブルは、一実施形態に従った図７に示すように、該エリア４０ｉについて輝度と階調値の対応関係を記述している。輝度−階調テーブルに記述される輝度として、ステップＳ０２で算出されるエリア輝度値が用いられる。図７の輝度−階調テーブルを参照して、電源端子９に最も近いエリア４０８は、電源端子９から最も離れたエリア４００と比較すると、輝度が高く、また、輝度−階調カーブの傾きが急である。電源端子９に近いエリア４０ほど、同一の階調値に対する輝度が高くなり、また、輝度−階調カーブの傾きが急峻になる傾向がある。生成された輝度−階調テーブルは、記憶装置２４に格納される。
【００３７】
図５を再度に参照して、ステップＳ０４では、ステップＳ０１において特定の対象階調値について得られた輝度測定データに基づいて、ムラ補正において補正すべき輝度の補正量が暫定的に算出される。「暫定的に」とは、最終的に表示ドライバ１０で行われるムラ補正処理による輝度の補正量が、ステップＳ０４において算出される輝度の補正量と異なり得ることを意味している。一実施形態では、当該特定の対象階調値として、ステップＳ０１においてムラ測定が行われた対象階調値＃１〜＃Ｎのうち最も高いものが選択される。対象階調値＃１〜＃Ｎのうち最も高いものを選択する場合、ステップＳ０４において暫定的に算出される補正量の絶対値が最も大きくなり、よって、総電流の変化が最も大きくなる。対象階調値＃１〜＃Ｎのうちから選択された特定の対象階調値を、以下では、対象階調値＃ｑということがある。ここで、ｑは、１以上Ｎ以下の整数のいずれかである。
【００３８】
一実施形態では、輝度の補正量は、エリア４００〜４０８のそれぞれについて、かつ、各色について生成される。ステップＳ０４で算出される輝度の補正量は暫定的なものに過ぎないので、個々の画素８について補正量を算出するのではなく、エリア４０毎に補正量が算出される。これは、演算量の低減に有効である。
【００３９】
一実施形態では、赤色（Ｒ）、緑色（Ｇ）、青色（Ｂ）のうちの色ｊについての輝度の補正量の算出は、下記のようにして行われる。まず、エリア４００〜４０８のうちから基準エリアが選択される。一実施形態では、画素アレイ２の中央の画素８が設けられているエリア４０４が基準エリアとして選択されてもよい。
【００４０】
更に、一実施形態による図８に示すように、基準エリアについて、かつ、対象階調値＃ｑ及び色ｊについて算出されたエリア輝度値が、基準輝度値として決定される。エリア４０４が基準エリアとして選択される場合、エリア４０４、対象階調値＃ｑ及び色ｊについて算出されたエリア輝度値が、基準輝度値として選択される。
【００４１】
更に、各エリア４０ｉについての輝度の補正量が、基準輝度値と、当該エリア４０ｉの対象階調値＃ｑ、色ｊについて算出されたエリア輝度値との差分として算出される。一実施形態では、色ｊ、エリア４０ｉについての輝度の補正量δＹｉ，ｊは、色ｊについて選択された基準輝度値ＹＤＶ＿ｊと、色ｊ、エリア４０ｉについて算出されたエリア輝度値ＹＡＲＥＡ＿ｉ，ｊから下記式（１）に従って算出されてもよい。
【数１】
2020056970.tif 000003
式（１）に従えば、エリア４０４のエリア輝度値ＹＡＲＥＡ＿４，ｊが基準輝度値ＹＤＶ＿ｊとして用いられる場合は、エリア４０４の輝度の補正量δＹ４，ｊは０である。
【００４２】
図５に戻り、ステップＳ０５では、ステップＳ０４で算出された輝度の補正量に基づいて、該補正量でムラ補正を行った場合の総電流の変化を示すシミュレーション値が算出される。シミュレーション値は、赤色（Ｒ）、緑色（Ｇ）、青色（Ｂ）のそれぞれについて算出される。
【００４３】
表示パネル１に色ｊのテスト画像が表示される場合、各画素８の色ｊを表示する画素回路６の輝度が、当該画素８で消費される電流に対応しているので、一実施形態では、表示パネル１全体について算出された輝度の補正量の和が、シミュレーション値として用いられてもよい。エリア４００〜４０８が規定される。一実施形態では、色ｊについての総電流の変化を示すシミュレーション値ＩＴＯＴＡＬ＿ｊは、下記式（２）に従って算出される。
【数２】
2020056970.tif 000004
【００４４】
ステップＳ０６では、ステップＳ０５において算出された総電流の変化を示すシミュレーション値ＩＴＯＴＡＬ＿ｊを用いて、総電流の変化による輝度ズレ量が算出される。輝度ズレ量は、各色ｊ、各エリア４０ｉ、各対象階調値＃ｋについて算出される。一実施形態では、輝度ズレ量は、下記の手順で算出される。
【００４５】
まず、一実施形態による図９に示すように、ステップＳ０３において生成された輝度−階調テーブルを、ステップＳ０５において算出された総電流の変化を示すシミュレーション値ＩＴＯＴＡＬ＿ｊに基づいて補正することで、電流変化補償後輝度−階調テーブルを生成する。電流変化補償後輝度−階調テーブルは、総電流が変化したときに電源ライン７において発生する電圧降下の変化を反映した輝度と階調値の対応関係を表している。電流変化補償後輝度−階調テーブルを用いることで、総電流が変化したときの輝度と階調値との対応関係の変化を反映したムラ補正データ２０を算出することができる。
【００４６】
色ｊ、エリア４０ｊについての電流変化補償後輝度−階調テーブルは、色ｊ、エリア４０ｊについてステップＳ０３で生成された元の輝度−階調テーブルに記述されている輝度値（エリア輝度値）を、シミュレーション値ＩＴＯＴＡＬ＿ｊに応じて補正することで生成される。
【００４７】
一実施形態では、電流変化補償後輝度−階調テーブルは、下記のようにして生成される。総電流が増大する場合、即ち、シミュレーション値ＩＴＯＴＡＬ＿ｊが正である場合には、電圧降下が増大し、輝度を低下させる効果が発現する。この輝度の低下の効果は、元の輝度が大きいほど、即ち、階調値が大きいほど大きい。よって、シミュレーション値ＩＴＯＴＡＬ＿ｊが正である場合、元の輝度−階調テーブルに記述されている輝度を、シミュレーション値ＩＴＯＴＡＬ＿ｊが大きいほど、かつ、対応する階調値が大きいほど減少させるように補正することで電流変化補償後輝度−階調テーブルが生成される。一方、総電流が減少する場合、即ち、シミュレーション値ＩＴＯＴＡＬ＿ｊが負である場合には、電圧降下が減少し、輝度が増大する効果が発現する。この輝度の増大の効果は、元の輝度が大きいほど、即ち、階調値が大きいほど大きい。よって、シミュレーション値ＩＴＯＴＡＬ＿ｊが負である場合、元の輝度−階調テーブルに記述されている輝度を、シミュレーション値ＩＴＯＴＡＬ＿ｊの絶対値が大きいほど、かつ、階調値が大きいほど増大させるように補正することで電流変化補償後輝度−階調テーブルが生成される。
【００４８】
一実施形態では、シミュレーション値ＩＴＯＴＡＬ＿ｊに依存する正の補正係数ｋを乗じることで生成される。補正係数ｋは、総電流の変化がないとき、即ち、シミュレーション値ＩＴＯＴＡＬ＿ｊが０であるときに１であり、総電流が増大したとき、即ち、シミュレーション値ＩＴＯＴＡＬ＿ｊが正であるときに減少し、総電流が減少したとき、即ち、シミュレーション値ＩＴＯＴＡＬ＿ｊが負であるときに増大するように決定される。
【００４９】
更に、電流変化補償後輝度−階調テーブルと元の輝度−階調テーブルとから、総電流の変化による輝度ズレ量が算出される。一実施形態では、色ｊ、エリア４０ｉ、対象階調値＃ｋについての輝度ズレ量ΔＹｉ，ｊ（ｋ）が、エリア４０ｉ、色ｊについて生成された電流変化補償後輝度−階調テーブルにおいて対象階調値＃ｋに対応づけられた輝度Ｙ＾ｉ，ｊ（ｋ）と、エリア４０ｉ、色ｊについて生成された元の輝度−階調テーブルにおいて対象階調値＃ｋに対応づけられた輝度Ｙｉ，ｊ（ｋ）との差分として算出される。一実施形態では、色ｊ、エリア４０ｉ、対象階調値＃ｋについての輝度ズレ量ΔＹｉ，ｊ（ｋ）は、下記式（３）に従って算出される。
【数３】
2020056970.tif 000005
【００５０】
ステップＳ０７では、ステップＳ０６で算出された輝度ズレ量ΔＹｉ，ｊ（ｋ）を用いて、各画素８の輝度目標値が算出される。ある画素８の輝度目標値とは、当該画素８の画素データに対してムラ補正処理を行ったときに、当該画素８が発光する輝度の目標値である。各画素８の輝度目標値は、各色ｊ、各対象階調値＃ｋについて算出される。一実施形態では、各画素８の輝度目標値の算出は、下記の手順で行われる。
【００５１】
まず、各対象階調値＃ｋ及び各色ｊについて基準輝度値ＹＤＶ＿ｊ（ｋ）が設定される。一実施形態では、ステップＳ０４において選択された基準エリアについて算出されたエリア輝度値が、基準輝度値ＹＤＶ＿ｊ（ｋ）として設定される。上述のように、画素アレイ２の中央の画素８が設けられているエリア４０４が基準エリアとして選択されてもよく、この場合、エリア４０４、対象階調値＃ｋ、色ｊについて算出されたエリア輝度値が、基準輝度値ＹＤＶ＿ｊ（ｋ）として選択される。
【００５２】
更に、各色ｊ、各エリア４０ｉ、各対象階調値＃ｋについて目標エリア輝度値が算出される。あるエリア４０ｉの目標エリア輝度値とは、当該エリア４０ｉの画素８の画素データに対してムラ補正処理を行ったときの、当該エリア４０ｉのエリア輝度値の目標値である。
【００５３】
一実施形態による図１０に示すように、エリア４０ｉ、色ｊ、対象階調値＃ｋについての目標エリア輝度値ＹＤＶ＿ＡＲＥＡ＿ｉ，ｊ（ｋ）が、色ｊ、エリア４０ｉ、対象階調値＃ｋについて算出された輝度ズレ量ΔＹｉ，ｊ（ｋ）と、基準輝度値ＹＤＶ＿ｊ（ｋ）とから算出される。一実施形態では、エリア４０ｉ、色ｊ、対象階調値＃ｋについての目標エリア輝度値ＹＤＶ＿ＡＲＥＡ＿ｉ，ｊ（ｋ）は、基準輝度値ＹＤＶ＿ｊ（ｋ）から輝度ズレ量ΔＹｉ，ｊ（ｋ）を減じることで算出されてもよい。一実施形態では、目標エリア輝度値ＹＤＶ＿ＡＲＥＡ＿ｉ，ｊ（ｋ）は、下記式（４）に従って算出される。
【数４】
2020056970.tif 000006
【００５４】
更に、上記のようにして各色ｊ、各対象階調値＃ｋ、各エリア４０ｉについて算出された目標エリア輝度値ＹＤＶ＿ＡＲＥＡ＿ｉ，ｊ（ｋ）に基づいて、各色ｊ及び各対象階調値＃ｋについて各画素８の輝度目標値ＹＰＩＸＥＬ＿ｊ（ｋ）が算出される。一実施形態では、図１１に示すように、各画素８の輝度目標値ＹＰＩＸＥＬ＿ｊ（ｋ）が、Ｙ軸方向、即ち、電源ライン７が延伸する方向における位置に応じて、エリア４００〜４０８について算出された目標エリア輝度値ＹＤＶ＿ＡＲＥＡ＿ｉ，ｊ（ｋ）を補間することで算出される。
【００５５】
ステップＳ０８では、ステップＳ０７で生成された各画素８の輝度目標値ＹＰＩＸＥＬ＿ｊ（ｋ）を用いてムラ補正データ２０が算出される。ムラ補正データ２０は、ステップＳ０１において対象階調値＃１〜＃Ｎ、各色ｊ及び各画素８について取得された輝度測定データに基づいて、各色ｊ、各画素８について生成される。各画素８の色ｊについて算出されたムラ補正データ２０は、当該画素８の画素データの色ｊの階調値の補正に用いられる。一実施形態では、ある色ｊ、ある画素８についてのムラ補正データ２０は、該画素８の画素データの色ｊの階調値として対象階調値＃ｋが指定されていたときに、当該画素８の色ｊの輝度が、ステップＳ０７において色ｊ、対象階調値＃ｋについて生成された当該画素８の輝度目標値ＹＰＩＸＥＬｊ（ｋ）となるようなムラ補正処理が実施されるように生成される。ここで、ｋは、１以上Ｎ以下の整数である。
【００５６】
このようにして生成されたムラ補正データ２０は、表示ドライバ１０に供給され、不揮発性メモリ１３に書き込まれる。このような手順によれば、電源ライン７において生じる電圧降下が考慮された適正なムラ補正データ２０を生成することができる。
【００５７】
以上には、本開示の様々な実施形態が具体的に記述されているが、本開示技術は、様々な変更と共に実施可能である。例えば、上記実施形態は、各画素回路に電源電圧が供給されている構成の様々な表示パネルに適用可能である。
【符号の説明】
【００５８】
１００    ：表示モジュール
１        ：表示パネル
２        ：画素アレイ
３        ：スキャンドライバ回路部
４        ：スキャンライン
５        ：ソースライン
６        ：画素回路
６Ｂ      ：Ｂ副画素
６Ｇ      ：Ｇ副画素
６Ｒ      ：Ｒ副画素
７        ：電源ライン
８        ：画素
９        ：電源端子
１０      ：表示ドライバ
１１      ：インターフェース
１２      ：画像処理回路部
１３      ：不揮発性メモリ
１４      ：ソースドライバ回路部
１５      ：パネルインターフェース回路部
２０      ：ムラ補正データ
２１      ：撮像装置
２２      ：コンピュータ
２３      ：インターフェース
２４      ：記憶装置
２５      ：演算装置
２６      ：インターフェース
２７      ：記録媒体
３０      ：ムラ補正データ算出ソフトウェア
４００〜４０８：エリア
２００    ：ホスト
３００    ：パワーマネジメントＩＣ
４００    ：表示ドライバ調整装置
【図１】
2020056970.tif 000007
【図２】
2020056970.tif 000008
【図３】
2020056970.tif 000009
【図４】
2020056970.tif 000010
【図５】
2020056970.tif 000011
【図６】
2020056970.tif 000012
【図７】
2020056970.tif 000013
【図８】
2020056970.tif 000014
【図９】
2020056970.tif 000015
【図１０】
2020056970.tif 000016
【図１１】
2020056970.tif 000017